(57)【要約】  本発明は、移動通信システムに関し、特に移動通信システムにおけるサービスの加入状態変更を提供するための方法及びこのためのシステムに関する。かかる方法は、加入状態の停止期間が含まれた停止要請メッセージをネットワークエンティティに送信する過程と、ネットワークエンティティから、停止要請メッセージに含まれた停止期間に対する許容可能な停止期間と、端末内に格納されているロングタームキー（Long-Term Key）に対する権限を変更するためのトリガーとが含まれた停止応答メッセージを受信する過程と、該停止応答メッセージに含まれた許容可能な停止期間の間、上記トリガーを通じて上記ロングタームキーに対する権限を変更する過程と、を含む。【選択図】    図３
2010539779.tif 000002
【特許請求の範囲】
【請求項１】
移動通信システムの端末におけるサービスの加入状態を変更するための方法であって、
前記加入状態の停止期間が含まれた停止要請メッセージをネットワークエンティティへ送信する過程と、
前記ネットワークエンティティから前記停止要請メッセージに含まれた前記停止期間に対する許容可能な停止期間と、前記端末内に格納されているロングタームキー（Long-Term Key）に対する権限を変更するためのトリガーと、が含まれた停止応答メッセージを受信する過程と、
前記停止応答メッセージに含まれた前記許容可能な停止期間の間、前記トリガーを通じて前記ロングタームキーに対する権限を変更する過程と、
を含むことを特徴とする加入状態変更方法。
【請求項２】
前記サービスを再開させるための再開（Resume）要請メッセージを送信する過程と、
前記ネットワークエンティティから、前記再開要請メッセージに対応するユーザ勘定に残っている金額情報及び該当金額に対する許容可能なサービス可用期間と、前記トリガーとが含まれた再開応答メッセージを受信する過程と、
前記再開応答メッセージに含まれた前記許容可能なサービス可用期間の間、前記トリガーを通じて前記ロングタームキーに対する権限を変更する過程と、
を含むことを特徴とする請求項１に記載の加入状態変更方法。
【請求項３】
前記再開要請メッセージは、前記許容可能な停止期間が終了した場合、及びユーザからの前記サービス再開の要請を受信した場合のうち、少なくとも１つの場合に送信されることを特徴とする請求項２に記載の加入状態変更方法。
【請求項４】
前記停止要請メッセージは、前記加入状態を停止させるための要請ＩＤ（requestID）属性値と、ユーザＩＤ（UserID）エレメントと、装置ＩＤ（DeviceID）エレメントと、停止アイテム（PurchaseItem）エレメントと、を含み、
前記停止アイテム（PurchaseItem）エレメントは、前記要請された停止期間を表す開始日（StartDate）属性値と終了日（endDate）属性値とが含まれた停止期間（Pauseperiod）エレメントと、終了日の以後に当該停止を自動で解除するためのユーザ同意の可否を表す自動再開同意（autoResumeAgreement）エレメントと、を含むことを特徴とする請求項１に記載の加入状態変更方法。
【請求項５】
前記停止応答メッセージは、前記停止要請メッセージに対する応答のために、要請ＩＤ（requestID）属性値と、グローバル状態コード（globalStatusCode）属性値と、停止アイテム（PurchaseItem）エレメントと、を含み、
前記停止アイテム（PurchaseItem）エレメントは、前記トリガーを表すトリガー（Trigger）エレメントと、前記許容可能な停止期間を表す停止開始日（StartDate）属性値と終了日（endDate）属性値とが含まれた許容可能な停止期間（PossiblePeriod）エレメントと、を含むことを特徴とする請求項１に記載の加入状態変更方法。
【請求項６】
前記再開要請メッセージは、当該停止に管理された加入状態を再開させるための要請ＩＤ（reauestID）属性値と、ユーザＩＤ（UserID）エレメントと、装置ＩＤ（DeviceID）エレメントと、停止アイテムＩＤ（PurchaseItemID）エレメントと、を含むことを特徴とする請求項２に記載の加入状態変更方法。
【請求項７】
前記再開応答メッセージは、前記再開要請メッセージに対する応答のために、要請ＩＤ（requestID）属性値と、グローバル状態コード（globalStatusCode）属性値と、停止アイテム（PurchaseItem）エレメントと、を含み、
前記停止アイテム（PurchaseItem）エレメントは、停止データ参照（PurchaseDataReference）エレメントと、許容可能なサービス可用期間（PossiblePeriod）エレメントと、前記トリガーを表すトリガー（Trigger）エレメントと、を含み、前記停止データ参照（PurchaseDataReference）エレメントは、ユーザ勘定に残っている金額情報（Money）に対するエレメントを含むことを特徴とする請求項２に記載の加入状態変更方法。
【請求項８】
移動通信システムのネットワークエンティティによってサービスの加入状態を変更するための方法であって、
端末から前記加入状態の停止期間が含まれた停止要請メッセージを受信する過程と、
前記停止要請メッセージに含まれた前記停止期間に対する許容可能な停止期間と、前記端末内に格納されているロングタームキー（Long-Term Key）に対する権限を変更するためのトリガーと、が含まれた停止応答メッセージを前記端末へ送信する過程と、
を含むことを特徴とする加入状態変更方法。
【請求項９】
前記サービスを再開させるための再開（Resume）要請メッセージを受信する過程と、
前記再開要請メッセージに基づいて、ユーザ勘定に残っている金額情報及び該当金額を通じて許容可能なサービス可用期間を計算し、許容可能なサービス可用期間と前記トリガーとが含まれた再開応答メッセージを前記端末へ送信する過程と、
を含むことを特徴とする請求項８に記載の加入状態変更方法。
【請求項１０】
前記停止要請メッセージは、前記加入状態を停止させるための要請ＩＤ（requestID）属性値と、ユーザＩＤ（UserID）エレメントと、装置ＩＤ（DeviceID）エレメントと、停止アイテム（PurchaseItem）エレメントと、を含み、
前記停止アイテム（PurchaseItem）エレメントは、停止開始日（StartDate）属性値と終了日（endDate）属性値とが含まれた停止期間（Pauseperiod）エレメントと、終了日の以後に当該停止を自動で解除するためのユーザ同意の可否を表す自動再開同意（autoResumeAgreement）エレメントと、を含むことを特徴とする請求項８に記載の加入状態変更方法。
【請求項１１】
前記停止応答メッセージは、前記停止要請メッセージに対する応答のために、要請ＩＤ（requestID）属性値と、グローバル状態コード（globalStatusCode）属性値と、停止アイテム（PurchaseItem）エレメントと、を含み、
前記停止アイテム（PurchaseItem）エレメントは、前記トリガーを表すトリガー（Trigger）エレメントと、前記許容可能な停止期間を表す開始日（StartDate）属性値と終了日（endDate）属性値とが含まれた許容可能な停止期間（PossiblePeriod）エレメントと、を含むことを特徴とする請求項８に記載の加入状態変更方法。
【請求項１２】
前記再開要請メッセージは、当該停止に管理された加入状態を再開させるための要請ＩＤ（reauestID）属性値と、ユーザＩＤ（UserID）エレメントと、装置ＩＤ（DeviceID）エレメントと、停止アイテムＩＤ（PurchaseItemID）エレメントと、を含むことを特徴とする請求項９に記載の加入状態変更方法。
【請求項１３】
前記再開応答メッセージは、前記再開要請メッセージに対する応答のために、要請ＩＤ（requestID）属性値と、グローバル状態コード（globalStatusCode）属性値と、停止アイテム（PurchaseItem）エレメントと、を含み、
前記停止アイテム（PurchaseItem）エレメントは、停止データ参照（PurchaseDataReference）エレメントと、許容可能なサービス可用期間（PossiblePeriod）エレメントと、前記トリガーを表すトリガー（Trigger）エレメントと、を含み、前記停止データ参照（PurchaseDataReference）エレメントは、ユーザ勘定に残っている金額情報（Money）に対するエレメントを含むことを特徴とする請求項９に記載の加入状態変更方法。
【請求項１４】
サービスの加入状態を変更するための移動通信システムであって、
前記加入状態の停止期間が含まれた停止要請メッセージを送信し、前記停止要請メッセージに含まれた前記停止期間に対する許容可能な停止期間と、前記端末内に格納されているロングタームキー（Long-Term Key）に対する権限を変更するためのトリガーが含まれた停止応答メッセージを受信して、前記停止応答メッセージに含まれた前記許容可能な停止期間の間、前記トリガーを通じて前記ロングタームキーに対する権限を変更する端末と、
前記端末から前記停止要請メッセージを受信し、前記停止応答メッセージを前記端末へ送信するネットワークエンティティと、
を含むことを特徴とする移動通信システム。
【請求項１５】
前記端末は、
前記サービスを再開させるための再開（Resume）要請メッセージを送信し、
前記ネットワークエンティティから前記再開要請メッセージに対応するユーザ勘定に残っている金額情報及び該当金額に対する許容可能なサービス可用期間と、前記トリガーが含まれた再開応答メッセージを受信し、
前記再開応答メッセージに含まれた前記許容可能なサービス可用期間の間、前記トリガーを通じて前記ロングタームキーに対する権限を変更することを特徴とする請求項１４に記載の移動通信システム。
【請求項１６】
前記再開要請メッセージは、前記許容可能な停止期間が終了した場合、及びユーザから前記サービス再開の要請を受ける場合のうち、少なくとも１つの場合に送信されることを特徴とする請求項１５に記載の移動通信システム。
【請求項１７】
前記ネットワークエンティティは、前記端末から前記加入状態を再開させるための再開要請メッセージを受信し、前記再開要請メッセージに基づいて、前記ユーザ勘定に残っている金額情報及び前記該当金額を通じて許容可能なサービス可用期間を計算して前記許容可能なサービス可用期間と、前記トリガーが含まれた再開応答メッセージを送信することを特徴とする請求項１４に記載の移動通信システム。
【請求項１８】
前記ネットワークエンティティは、携帯放送加入管理部内でサービスの加入状態の変更を管理する携帯放送サービス提供管理器（ＢＳＰ−Ｍ）であることを特徴とする請求項１４に記載の移動通信システム。
【請求項１９】
前記停止要請メッセージは、前記加入状態を前記停止させるための要請ＩＤ（requestID）属性値と、ユーザＩＤ（UserID）エレメントと、装置ＩＤ（DeviceID）エレメントと、停止アイテム（PurchaseItem）エレメントと、を含み、
前記停止アイテム（PurchaseItem）エレメントは、前記要請された停止期間を表す開始日（StartDate）属性値と終了日（endDate）属性値とが含まれた停止期間（Pauseperiod）エレメントと、終了日の以後に前記停止を自動に解除するためのユーザ同意の可否を表すオットー再開同意（autoResumeAgreement）エレメントと、を含むことを特徴とする請求項１４に記載の移動通信システム。
【請求項２０】
前記停止応答メッセージは、前記停止要請メッセージに対する応答のために、要請ＩＤ（requestID）属性値と、グローバル状態コード（globalStatusCode）属性値と、停止アイテム（PurchaseItem）エレメントと、を含み、
前記停止アイテム（PurchaseItem）エレメントは、前記トリガーを表すトリガー（Trigger）エレメントと、前記許容可能な停止期間を表す停止開始日（StartDate）属性値と終了日（endDate）属性値とが含まれた許容可能な停止期間（PossiblePeriod）エレメントと、を含むことを特徴とする請求項１４に記載の移動通信システム。
【請求項２１】
前記再開要請メッセージは、当該停止に管理された加入状態を再開させるための要請ＩＤ（reauestID）属性値と、ユーザＩＤ（UserID）エレメントと、装置ＩＤ（DeviceID）エレメントと、停止アイテムＩＤ（PurchaseItemID）エレメントと、を含むことを特徴とする請求項１５に記載の移動通信システム。
【請求項２２】
前記再開応答メッセージは、前記再開要請メッセージに対する応答のために、要請ＩＤ（requestID）属性値と、グローバル状態コード（globalStatusCode）属性値と、停止アイテム（PurchaseItem）エレメントと、を含み、
前記停止アイテム（PurchaseItem）エレメントは、停止データ参照（PurchaseDataReference）エレメントと、許容可能なサービス可用期間（PossiblePeriod）エレメントと、前記トリガーを表すトリガー（Trigger）エレメントと、を含み、前記停止データ参照（PurchaseDataReference）エレメントは、ユーザ勘定に残っている金額情報（Money）に対するエレメントを含むことを特徴とする請求項１５に記載の移動通信システム。
【発明の詳細な説明】
【技術分野】
【０００１】
本発明は、移動通信システムに関し、特に移動通信システムにおけるサービスの加入状態変更を提供するための方法及びこのためのシステムに関する。
【背景技術】
【０００２】
現在、移動通信市場は、既存の技術の再結合及び／又は統合により新たなサービスの生産を持続的に求められている。今日、通信及び放送技術の発達に伴い、従来の放送システムまたは移動通信システムは、携帯電話及びＰＤＡ（Personal Digital Assistants）のような端末機を通じて放送サービスのような多様なサービスが提供できる段階に達した。
【０００３】
そして、市場需要、マルチメディアサービスに対して急増するユーザ要求、既存の音声サービスの他に放送サービスなどの新たなサービスを提供しようとする事業者の戦略、さらには上記ユーザ要求を受容して移動通信事業を強化しているＩＴ（Information Technology）企業の利害関係によって、移動通信サービスとＩＰ（Internet Protocol）技術との融合は、今日、次世代の移動通信技術開発の大きな流れとして位置を占めている。このような融合は、移動通信市場においてだけでなく、一般の有線市場においても、多様な無線または放送サービスを導入及び適用させ、また、そのような全方向の融合は、有線、無線、放送等に関わらず、多様なサービスに対して同一の消費環境を作る。
【０００４】
また、オープンモバイルアライアンス（Open Mobile Alliance：以下、ＯＭＡ）は、個々のモバイルソリューションの相互連動のための標準を研究する団体であって、主として、移動通信用ゲーム、インターネットサービスなどに対する多様なアプリケーション標準を定める役目を担う。特に、上記ＯＭＡのワーキンググループの内の一つであるＯＭＡ ＢＣＡＳＴ（Mobile Broadcast）ワーキンググループでは、端末機を用いて放送サービスを提供する技術標準を研究している。上記ＯＭＡ ＢＣＡＳＴは、サービスガイド、ダウンロード及びストリーミング転送技術、サービス及びコンテンツ保護技術、サービス加入、ローミングなどの、携帯端末環境でＩＰ基盤の放送サービスを提供するための技術を標準化している。
【０００５】
携帯放送では、サービス事業者が提供するサービスに対する加入及び解約、更新、購買及び加入情報などの提供は、サービス提供部（Service Provisioning Function Block）によって管理される。上記ＯＭＡ ＢＣＡＳＴの場合、サービス提供（Service Provisioing）と関連して、価格情報要請、サービス加入、サービス解約、暗号キー更新、トークン購入、及び課金情報提供の機能が存在し、また、ＢＳＭ部（Broadcast Subscription Management Block）と称されるネットワークエンティティ（Network Entity）が、上記サービス提供と関連した情報を管理及び提供する。
【０００６】
前述した有線／無線環境の融合による統合サービス提供の市場の流れによって、ＯＭＡ ＢＣＡＳＴのような携帯放送技術もまた、モバイル環境を越えた有無線統合環境でサービスが提供できるようなビジネスモデルへと進化する。
【０００７】
しかしながら、従来の移動通信システムでは、前述したＯＭＡ ＢＣＡＳＴの場合のように、放送サービスのうち加入／購買と関連したサービスに対しては、加入、購買、加入状態に対する更新と、追加的に、価格情報、及び課金（Account）情報要請のみが定義されている。これによって、サービスに加入したユーザが毎月定額制でサービスを利用したり、映画のような特定のコンテンツを視聴の都度購買してサービスを利用する場合、ユーザは、該当期間の間サービスを利用したか否かにかかわらず、一定金額を常に支払わなければならない。さらに、ユーザがサービス地域を長期間外れる場合、サービスを物理的に使用できないにもかかわらず、当該ユーザは無駄な費用を支払わなければならない。
【０００８】
したがって、移動通信システムにおけるサービスに加入したユーザの加入状態を変更（一時的に停止（pause）、または停止された加入状態を再開(resume)）できるようにする方案が要求される。
【発明の概要】
【発明が解決しようとする課題】
【０００９】
本発明は、移動通信システムにおけるサービスの加入状態を変更するための方法及びこのための移動通信システムを提供する。
【００１０】
また、本発明は、移動通信システムにおけるサービスの加入状態を一時的に停止するための方法及びこのためのシステムを提供する。
【００１１】
また、本発明は移動通信システムで停止されたサービスの加入状態を再開するための方法及びこのためのシステムを提供する。
【課題を解決するための手段】
【００１２】
本発明の一の側面によれば、移動通信システムの端末におけるサービスの加入状態を変更するための方法が提供される。かかる方法は、加入状態の停止期間が含まれた停止要請メッセージをネットワークエンティティへ送信する過程と、上記ネットワークエンティティから上記停止要請メッセージに含まれた上記停止期間に対する許容可能な停止期間と、上記端末内に格納されているロングタームキー（Long-Term Key）に対する権限を変更するためのトリガーと、が含まれた停止応答メッセージを受信する過程と、上記停止応答メッセージに含まれた上記許容可能な停止期間の間、上記トリガーを通じて上記ロングタームキーに対する権限を変更する過程と、を含むことを特徴とする。
【００１３】
また、本発明の他の側面によれば、移動通信システムのネットワークエンティティによってサービスの加入状態を変更するための方法が提供される。かかる方法は、端末から加入状態の停止期間が含まれた停止要請メッセージを受信する過程と、上記停止要請メッセージに含まれた上記停止期間に対する許容可能な停止期間と、上記端末内に格納されているロングタームキー（Long-Term Key）に対する権限を変更するためのトリガーと、が含まれた停止応答メッセージを上記端末へ送信する過程と、を含む。
【００１４】
また、本発明のさらに他の側面によれば、サービスの加入状態を変更するための移動通信システムが提供される。かかる移動通信システムは、加入状態の停止期間が含まれた停止要請メッセージを送信し、上記停止要請メッセージに含まれた上記停止期間に対する許容可能な停止期間と、上記端末内に格納されているロングタームキー（Long-Term Key）に対する権限を変更するためのトリガーが含まれた停止応答メッセージを受信して、上記停止応答メッセージに含まれた上記許容可能な停止期間の間、上記トリガーを通じて上記ロングタームキーに対する権限を変更する端末と、上記端末から上記停止要請メッセージを受信し、上記停止応答メッセージを上記端末へ送信するネットワークエンティティと、を含む。
【発明の効果】
【００１５】
本発明によれば、定額料金制に加入したユーザが長時間サービスを受信できない状況の場合に、当該ユーザに加入状態を一時的に停止することを可能にすることで、実サービス使用に従う費用支払いを通じて無駄な費用の支払いを防止することができる。その結果、事業者の立場からは、料金制における多様な課金モデルを提示することができる。
【００１６】
また、本発明によれば、加入状態を一時的に停止させるようになれば、停止した時点で残った費用をサービスを再開する時点から使用することができ、したがって、ユーザは、与えられた費用を柔軟に使うことができる。
【図面の簡単な説明】
【００１７】
本発明の上述した及び他の側面は、添付図面が併用された後の詳細な説明により、一層明らかになるであろう。
【図１】本発明の実施形態に従うＯＭＡ ＢＣＡＳＴの論理構造を示す図である。
【図２】本発明が適用される移動通信システムにおけるサービス加入を示す流れ図である。
【図３】本発明の実施形態に従う加入状態変更を示す流れ図である。
【発明を実施するための形態】
【００１８】
以下、本発明の好ましい実施形態を、添付図面を参照して詳細に説明する。図面では、相互に異なる図面であっても、同様の構成要素はできる限り同一の符号で表している。下記の説明では、具体的な構成や要素の特定（定義）事項が表れているが、これは本発明の典型的な実施形態についてのより包括的な理解を助けるために提供されたものである。そして、本発明を説明するに当たって、関連した公知機能または構成に対する具体的な説明が本発明の要旨を曖昧にすることができると判断される場合、その詳細な説明は省略する。
【００１９】
後述する詳細な説明では、本発明における代表的な実施形態を提示する。また、本発明の説明の便宜のために、非同期移動通信標準である３ＧＰＰ（３rd Generation Partnership Project）、または端末機のアプリケーションの標準機構であるＯＭＡ（Open Mobile Alliance）のＢＣＡＳＴで定義されている個体（エンティティ）の名称を使用するが、このような標準及びエンティティの名称が本発明の範囲を限定するものではなく、また、本発明は、類似の技術的背景を有するシステムに適用することができる。
【００２０】
以下、従来技術と本発明の説明における具体的な例を挙げるために、携帯放送技術標準のうちの１つであるＯＭＡ ＢＣＡＳＴ技術に基づいて説明するが、この説明が本発明の内容を制限するものではない。
【００２１】
図１は、本発明の実施形態に従うＯＭＡ ＢＣＡＳＴの論理構造を示す図である。
【００２２】
上記ＯＭＡ ＢＣＡＳＴは、放送サービスを提供するための応用階層及び転送階層までの標準技術を定義している。
【００２３】
まず、図１を参考して、論理個体（ｌｏｇｉｃａｌ  ｅｎｔｉｔｙ）を詳細に説明する。
【００２４】
コンテンツ供給部（Content Creation：ＣＣ）１０１は、ＢＣＡＳＴサービスの基礎となるコンテンツを供給する。上記コンテンツは、通常の放送サービスのためのファイル、例えば、映画、オーディオ、ビデオのためのデータなどを含むことができる。また、コンテンツ供給部１０１は、サービスガイドを生成するための及び上記サービスが転送される転送ベアラーを決定するための、上記コンテンツの属性（Attribute）をＢＣＡＳＴサービスアプリケーション部（BCAST Service Application Block）１０２に提供する。
【００２５】
ＢＣＡＳＴサービスアプリケーション部１０２は、コンテンツ供給部１０１からＢＣＡＳＴサービスのデータの供給を受けて、該データをメディアエンコーディング、コンテンツ保護、両方向サービスなどを提供するに適した形態に加工する。また、ＢＣＡＳＴサービスアプリケーション部１０２は、コンテンツ供給部１０１から供給を受けた上記コンテンツに対する属性を、ＢＣＡＳＴサービス分配／調整部（BCAST Service Distribution／Adaptation Block）１０３とＢＣＡＳＴ加入管理部（BCAST Subscription Management Block）１０４とに提供する。
【００２６】
ＢＣＡＳＴサービス分配／調整部１０３は、ＢＣＡＳＴサービスアプリケーション部１０２から供給を受けたＢＣＡＳＴサービスデータを用いて、ファイル及びストリーミング転送、サービス収集、サービス保護、サービスガイド生成及び伝達、サービス通知（Notification）のような処理を遂行する。また、ＢＣＡＳＴサービス分配／調整部１０３は、サービスを放送分配システム（Broadcast Distribution System）１１２に適合するように調整する。
【００２７】
ＢＣＡＳＴ加入管理部１０４は、ＢＣＡＳＴサービスユーザの加入及び料金関連機能のようなサービス規定、ＢＣＡＳＴサービスに使われる情報の規定、ＢＡＳＴサービスの提供を受ける端末機を、ハードウェアまたはソフトウェア的に管理する。
【００２８】
端末機（Terminal）１０５は、コンテンツ及びサービスガイドやコンテンツ保護のようなプログラムサポート情報を受信し、ユーザに放送サービスを提供する。
【００２９】
ＢＤＳサービス分配部（Broadcast Distribution System Service Distribution Block）１１１は、放送分配システム１１２及び連動ネットワーク（Interaction Network）１１３との相互通信を通じて、携帯放送サービスを多数の端末機へ転送する。
【００３０】
放送分配システム１１２は、放送チャンネルを介して携帯放送サービスを転送する。この放送分配システム１１２として、３ＧＰＰ（3rd Generation Project Partnership）のＭＢＭＳ（Multimedia Broadcast Multicast Service）、第３世代の同期移動通信の標準機構である３ＧＰＰ２（3rd Generation Project Partnership 2）のＢＣＭＣＳ（Broadcast Multicast Service）、ディジタル放送標準機構であるＤＶＢ（Digital Video Broadcasting）のＤＶＢ−Ｈ（DVB-Handheld）、或いはＩＰ（Internet Protocol）基盤の放送／通信ネットワークなどが含まれ得る。
【００３１】
連動ネットワーク１１３は、両方向チャンネルを提供するものであり、この連動ネットワーク１１３にはセルラーネットワークなどが含まれ得る。
【００３２】
次に、上記論理個体同士間の連結通路である参照ポイント（reference point）を説明する。
【００３３】
参照ポイントは、目的によって多数個のインターフェースを有している。このインターフェースは、特定の目的のために、２つ以上の論理個体同士間の通信のために使用され、このためのメッセージ型式とプロトコルなどが適用される。
【００３４】
ＢＣＡＳＴ−１ １２１は、コンテンツ及びコンテンツ属性の転送路である。ＢＣＡＳＴ−２ １２２は、コンテンツが保護（Content-protected）されるか、コンテンツが保護されていない（Content-unprotected）ＢＣＡＳＴサービスと、上記ＢＣＡＳＴサービスの属性及びコンテンツ属性のための転送路である。
【００３５】
ＢＣＡＳＴ−３ １２３は、ＢＣＡＳＴサービスの属性、コンテンツの属性、ユーザ優先（User preference）及び加入（Subscription）情報、ユーザ要請、及びかかる要請に対する応答のための転送路である。
【００３６】
ＢＣＡＳＴ−４ １２４は、通知メッセージ（Notification Message）、サービスガイドに使われる属性、コンテンツ保護（Content Protection）及びサービス保護（Service Protection）に使われるキー（Key）の転送路である。
【００３７】
ＢＣＡＳＴ−５ １２５は、保護された（Protected）ＢＣＡＳＴサービス、保護されていない（Unprotected）ＢＣＡＳＴサービス、コンテンツが保護された（Content-protected）ＢＣＡＳＴサービス、コンテンツが保護されていない（Content-unprotected）ＢＣＡＳＴサービス、ＢＣＡＳＴサービス属性、コンテンツ属性、通知（Notification）、サービスガイド、ＢＣＡＳＴサービス保護（protection）に使われるＤＲＭ（Digital Right Management）ＲＯ（Rights Object）及びキー値などの保安要素（Security material）、及び放送（Broadcast）チャンネルを介して転送される全てのデータとシグナルのための転送路である。
【００３８】
ＢＣＡＳＴ−６ １２６は、保護された（Protected）ＢＣＡＳＴサービス、保護されていない（Unprotected）ＢＣＡＳＴサービス、コンテンツが保護された（Content-protected）ＢＣＡＳＴサービス、コンテンツが保護されていない（Content-unprotected）ＢＣＡＳＴサービス、ＢＣＡＳＴサービス属性、コンテンツ属性、通知（Notification）、サービスガイド、ＢＣＡＳＴサービス保護（protection）に使われるＤＲＭ（Digital Right Management）ＲＯ、キー値などの保安要素（Security material）、及び連動（Interaction）チャンネルを介して転送される全てのデータとシグナルのための転送路である。
【００３９】
ＢＣＡＳＴ−７ １２７は、サービス規定（provisioning）、加入（Subscription）情報、装置管理（Device Management）、ＢＣＡＳＴサービス保護（protection）に使われるＤＲＭ（Digital Right Management）ＲＯ、及びキー値などの保安要素（Security material）などの受信に関連した制御情報の連動（Interaction）チャンネルを介して転送されるユーザ優先（preference）情報のための転送路である。
【００４０】
ＢＣＡＳＴ−８ １２８は、ＢＣＡＳＴサービスに対するユーザのデータが連動（Interaction）される転送路である。ＢＤＳ−１ １２９は、保護された（protected）ＢＣＡＳＴサービス、保護されていない（Unprotected）ＢＣＡＳＴサービス、ＢＣＡＳＴサービス属性、コンテンツ属性、通知（notification）、サービスガイド、ＢＣＡＳＴサービス保護（protection）に使われるＤＲＭ（Digital Right Management）ＲＯ、及びキー値などの保安要素（Security material）のための転送路である。
【００４１】
ＢＤＳ−２ １３０は、サービス規定（provisioning）、加入（Subscription）情報、装置管理（Device management）、ＢＣＡＳＴサービス保護（protection）に使われるＤＲＭ（Digital Right Management）ＲＯ、及びキー値などの保安要素（Security material）の転送路である。
【００４２】
Ｘ−１ １３１は、上記ＢＤＳサービス分配部１１１と放送分配システム１１２との間の参照（reference）ポイントである。Ｘ−２ １３２は、上記ＢＤＳサービス分配部１１１と連動ネットワーク１１３との間の参照（reference）ポイントである。Ｘ−３ １３３は、放送分配システム１１２と端末機１０５との間の参照（reference）ポイントである。Ｘ−４ １３４は、ＢＤＳサービス分配部１１１と放送チャンネルを介した端末機１０５との間の参照（reference）ポイントである。Ｘ−５ １３５は、ＢＤＳサービス分配部１１１とインタラクション（interaction）チャンネルを介した端末機１０５との間の参照（reference）ポイントである。Ｘ−６ １３６は、連動ネットワーク１１３と端末機１０５との間の参照（reference）ポイントである。
【００４３】
図１で、ＢＣＡＳＴ加入管理部１０４に含まれたＢＳＰ−Ｍ（Broadcast Service Provisioning Management Block）１５０と、端末機１０５に含まれたＢＳＰ−Ｃ（Broadcast Service Provisioning Client Function Block）１７０は、ＢＣＡＳＴサービスに対するユーザ加入及び加入されたサービスに対する購買を担当し、ユーザ勘定の状態情報のような決済及び購買に対する追加情報を提供する。また、本発明の実施形態に従うＢＳＰ−Ｍ １５０及びＢＳＰ−Ｃ １７０は、加入状態を変更するための情報を提供する。
【００４４】
以下、上記サービス提供部について詳細に説明する。上記ＢＳＰ−Ｍ １５０は、加入情報及び購買情報を提供する。そして、ユーザ加入情報に基づいてＢＳＰ−Ｍ １５０は、ユーザの課金情報を関連エンティティに提供し、携帯放送サービスに対する課金をサポートする。また、上記ＢＳＰ−Ｍ １５０は、ＳＰ−７ １９１及びＳＰ−８ １９３のインターフェースを介して、ＢＳＰ−Ｃ １７０から加入、課金、及び加入状態変更などの要請及び報告などを受信する。
【００４５】
ＢＳＰ−Ｃ １７０は、携帯放送サービスに対する加入、購買、及び加入状態変更についての報告などの役目を担当する。ＢＳＰ−Ｃ １７０は、サービスガイドから放送サービス提供（Provisioning）情報を抽出して、加入、購買、及び加入状態変更に対する要請、または追加情報などに対する要請を行なうことができる。
【００４６】
＜表１＞は、ＳＰ−７ １９１及びＳＰ−８ １９３に対する説明を示す表である。
【００４７】
【表１】
2010539779.tif 000003
【００４８】
＜表１＞で、ＳＰ−７ １９１はＢＣＡＳＴ加入管理部１０４から加入、課金、及び加入状態変更のためのメッセージの伝送路であり、ＳＰ−８ １９３はアウトオフバンド（Out-Of-Band）インターフェースを介したサービス加入及び購買のための伝送路である。
【００４９】
図２は、本発明が適用される移動通信システムにおけるサービス加入を示す流れ図である。
【００５０】
図２を参照すると、ステップ２１０で、サービス加入のために、ＢＳＰ−Ｃ １７０は、ＢＣＡＳＴサービス分配／調整部１０３からサービスガイド（Service Guide）を受信し、該受信されたサービスガイドから所望の加入または購買するアイテム（Item）を選定した後に、当該選定されたアイテムに対応するサービスの加入を開始する。
【００５１】
ステップ２１１で、端末機１０５に含まれたＢＳＰ−Ｃ １７０は、ＢＣＡＳＴ加入管理部１０４に含まれたＢＳＰ−Ｍ １５０に、上記サービスの加入のためのサービス要請（Service Request）メッセージを送信する。
【００５２】
そして、ステップ２３０で、ＢＳＰ−Ｍ １５０は、受信されたサービス要請メッセージに対する認証を行なう。その後、ステップ２３３で、ＢＳＰ−Ｍ １５０は、サービス要請メッセージ処理及び加入／購買結果と、サービスの復号に使われるロングタームキー（Long-Term Key）を受信することができるトリガー（Trigger）情報を、サービス応答（Service Response）メッセージに乗せてＢＳＰ−Ｃ １７０に伝達する。この際に、ＢＳＰ−Ｍ １５０は、ステップ２３１でサービス要請メッセージに含まれている価格情報を把握（evaluation）して、ステップ２３５で新たな価格情報を価格応答（Pricing Response）メッセージに乗せてＢＳＰ−Ｃ １７０に伝達することもできる。
【００５３】
ステップ２５０で、ＢＳＰ−Ｃ １７０は、伝達を受けたサービス応答メッセージに含まれた該当トリガー（Trigger）情報を通じて、ＢＣＡＳＴでサービス及びコンテンツ暗号化技術で定義された方法を使用してロングタームキー（Long-Term Key）を獲得する。ステップ２５１で、ＢＳＰ−Ｃ １７０は、上記ロングタームキーを最終受信し、その後、ＢＳＰ−Ｍ １５０にサービス完了（Service Completion）メッセージを伝達する。
【００５４】
また、その他の加入解約（termination）、ロングタームキー（Long-Term Key）更新、及びトークン（Token）購入などのフローも、前述した移動通信システムにおけるサービス加入と同様のフローであり、ＢＳＰ−Ｃ １７０とＢＳＰ−Ｍ １５０との間で遂行される。
【００５５】
以下、図３を参照して、本発明の実施形態に従って、前述したサービス加入の以後における加入状態の変更（加入状態を一時的に停止（Pause）すること、及び停止された加入状態を再開すること）のための方法について説明する。
【００５６】
図３は、本発明の実施形態に従う加入状態変更を説明するためのフローチャートである。
【００５７】
図３を参照すると、ステップ３０１で、ＢＳＰ−Ｃ １７０は、サービス加入要請時点から無期限（不定日まで）、サービス加入要請時点から特定日まで、特定日から無期限（不定日まで）、特定日から他の特定日まで、などのように、ユーザが要請した一時停止期間を指定して、＜表２＞のような停止要請メッセージをＢＳＰ−Ｍ １５０に伝達する。そして、ステップ３０２で、ＢＳＰ−Ｍ １５０は、転送を受けた要請メッセージに含まれた一時停止期間についての停止要請を処理した後に、＜表３＞に示すように、許容可能な一時停止期間が含まれた停止応答メッセージに、端末１０５内に格納されているサービスの復号に使われるためのロングタームキーに対する権限を変更するためのトリガー（Trigger）を乗せて、ＢＳＰ−Ｃ １７０に伝達する。この際、ＢＳＰ−Ｍ １５０は、停止要請メッセージに含まれた一時停止期間を承認することができない場合には、許容可能な一時停止期間を計算した後、当該許容可能な一時停止期間を明示してＢＳＰ−Ｃ １７０へ転送する。これによって、ステップ３０３で、ＢＳＰ−Ｃ １７０は、転送を受けた停止応答メッセージのトリガー（Trigger）を通じて、現在保有しているロングタームキー（Key）に対する権限（Validity）を変更する。ロングタームキー（Key）に対する権限変更は、例えば、ＢＣＡＳＴの場合、ディジタル著作権管理のためのＤＲＭ（Digital Rights Management）、または集積回路や記憶素子を取り付けて大容量の情報が格納できるスマートカード（Smartcard）で定義されている手続に従う。したがって、ロングタームキーに対する権限が変更されることで、端末機１０５は、保有しているロングタームキーを該当期間の間、使用することができない。
【００５８】
下記の＜表２＞乃至＜表５＞で、名称（name）は、該当メッセージを構成する要素値と属性値に対する名称を表す。そして、タイプ（Type）は、該当名称が要素値または属性値の内のいずれの形態であるかを表す。要素値は、Ｅ１、Ｅ２、Ｅ３、Ｅ４の値を有し、この内、Ｅ１は、全メッセージに対する上位要素値を意味し、Ｅ２はＥ１の下位要素値、Ｅ３はＥ２の下位要素値、Ｅ４はＥ３の下位要素値を表す。属性値はＡで表示され、Ａは該当要素の属性値を表す。例として、Ｅ１の下のＡは、Ｅ１の属性値を表す。
【００５９】
範疇（Category）は、該当要素値または属性値が必須内容であるか否かを区分するために使われ、必須の場合はＭ値を、オプションの場合はＯ値を有する。
【００６０】
カーディナリティー（Cardinality）は、要素同士間の関係を表し、０、０．．１、１、０．．ｎ、１．．ｎの値を有する。ここで、０はオプションの関係を意味し、１は必須関係を意味し、ｎは多数の値を有することができることを意味する。例えば、０．．ｎは、該当要素値がないこともあり、或いはｎ個の値を有することもあることを意味する。
【００６１】
説明（Description）は、該当要素または属性値の意味を表示し、データ型（Data Type）は、該当要素値または属性値についてのデータ形態を表す。
【００６２】
【表２】
2010539779.tif 000004
2010539779.tif 000005
【００６３】
＜表２＞に従って、停止要請メッセージは、一時停止要請のための要請ＩＤ（requestID）属性値と、一時停止のためのユーザＩＤ（UserID）エレメントと、装置ＩＤ（DeviceID）エレメントと、一時停止アイテム（PurchaseItem）エレメントと、を含む。そして、上記一時停止アイテム（PurchaseItem）エレメントは、一時停止要請期間を表す開始日（StartDate）属性値と終了日（endDate）属性値とが含まれた一時停止期間（Pauseperiod）エレメントを含む。ユーザが加入した全てのアイテム（PurchaseItem）を一括的に一時停止しようとする場合には、当該ユーザは、SubscriptionPauseメッセージ内に１つの‘PurchaseItem’要素値及びその下位値のみを有するようになり、PurchaseItem要素値内の属性値である‘globalIDRef’を明示しない。しかしながら、ユーザが特定のアイテム（PurchaseItem）に対して一時停止しようとする場合には、当該ユーザは、SubscriptionPauseメッセージ内に、一時停止しようとするアイテム（PurchaseItem）に合うように‘PurchaseItem’要素値を含めなければならず、該当アイテム（PurchaseItem）の識別値は‘globalIDRef’に明示しなければならない。一時停止しようとする期間に関して、開始日（StartDate）が明示される場合には、該当日付から一時停止要請をし、明示した日がない場合には、本要請が受諾された日から一時停止することとみなす。これと同様に、終了日（endDate）が明示される場合には、該当日付まで一時停止効力が発生し、終了日の以後からは停止状態が解除される。終了日（endDate）が明示されない場合には、ユーザの要請があるまで一時停止効力が維持される。事業者または国家の政策や規制に従って、終了日の以後の停止状態を自動で解除するためにユーザの同意を必要とする場合には、“autoResumeAgreement”（自動再開同意）属性値を含めることで、ユーザによる承認の可否を表すことができるようにする。
【００６４】
【表３】
2010539779.tif 000006
2010539779.tif 000007
【００６５】
＜表３＞に従って、停止応答メッセージは、上記一時停止要請に対する応答のために、要請ＩＤ（requestID）属性値、グローバル状態コード（globalStatusCode）属性値、及び一時停止アイテム（PurchaseItem）エレメントを含む。そして、上記一時停止アイテム（PurchaseItem）エレメントは、トリガーを表すトリガー（Trigger）エレメントと、許容可能な一時停止期間を表す開始日（StartDate）属性値と終了日（endDate）属性値とが含まれた許容可能な一時停止期間（PossiblePeriod）エレメントと、を含む。
【００６６】
そして、図３のステップ３０４で、ＢＳＰ−Ｃ １７０は、上記一時停止期間が過ぎたり、ユーザがサービス再開を要請する場合に、一時停止された加入状態を再開（Resume）するために、＜表４＞のような再開要請メッセージをＢＳＰ−Ｍ １５０に伝達する。そして、ステップ３０５で、ＢＳＰ−Ｍ １５０は、転送を受けた再開要請メッセージに含まれたユーザ勘定に残っている金額の情報及び当該金額に対応した許容可能なサービス可用期間が含まれた＜表５＞のような再開応答メッセージに、端末内に格納されているロングタームキーに対する権限を変更するためのトリガーを乗せて、ＢＳＰ−Ｃ １７０に伝達する。これによって、ステップ３０６で、ＢＳＰ−Ｃ １７０は、転送を受けた再開応答メッセージのトリガーを通じて、現在保有しているロングタームキーに対する権限を変更して、該当サービスを提供する。
【００６７】
【表４】
2010539779.tif 000008
2010539779.tif 000009
【００６８】
＜表４＞に従って、再開要請メッセージは、再開要請のための要請ＩＤ（reauestID）属性値と、再開のためのユーザＩＤ（UserID）エレメント、装置ＩＤ（DeviceID）エレメント、及び一時停止アイテムＩＤ（PurchaseItemID）エレメントと、を含む。
【００６９】
【表５】
2010539779.tif 000010
2010539779.tif 000011
【００７０】
＜表５＞に従って、再開応答メッセージは、上記再開要請に対する応答のために、要請ＩＤ（requestID）属性値と、グローバル状態コード（globalStatusCode）属性値と、一時停止要請を受けた購買アイテム（PurchaseItem）エレメントと、を含む。そして、上記一時停止要請を受けた購買アイテム（PurchaseItem）エレメントは、一時停止データ参照（PurchaseDataReference）エレメントと、許容可能なサービス可用期間（PossiblePeriod）エレメントと、トリガーを表すトリガー（Trigger）エレメントと、を含み、上記一時停止データ参照（PurchaseDataReference）に対するエレメントは、ユーザ勘定に残っている金額情報（Money）に対するエレメントを含む。
【００７１】
以上、本発明の詳細な説明では特定の好ましい実施形態に関して説明したが、添付された特許請求の範囲に規定されるような本発明の精神及び範囲から逸脱することなく、形式や細部における種々の変形が可能であることは、当業者に理解されるであろう。
【図１】
2010539779.tif 000012
【図２】
2010539779.tif 000013
【図３】
2010539779.tif 000014
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
放送システムにおける端末がサービス加入状態を変更するための方法であって、
前記加入状態の停止期間を表す情報が含まれた停止要請メッセージをネットワークエンティティへ送信する過程と、
前記ネットワークエンティティから前記停止要請メッセージに対する停止応答メッセージを受信する過程と、
前記端末が前記加入状態を変更する過程と、
を含むことを特徴とする加入状態変更方法。
【請求項２】
前記停止期間は、全てのアイテムのうちの特定のアイテムを一時停止する期間であり、
前記停止要請メッセージは、前記特定のアイテムを識別する識別子を含むことを特徴とする請求項１に記載の加入状態変更方法。
【請求項３】
前記停止期間は、全てのアイテムを一時停止する期間であることを特徴とする請求項１に記載の加入状態変更方法。
【請求項４】
前記停止期間は、停止開始日及び停止終了日のうち、少なくとも１つを含むことを特徴とする請求項１に記載の加入状態変更方法。
【請求項５】
前記停止応答メッセージは、前記端末が要請した停止期間が前記ネットワークエンティティが許容する停止期間を超過する場合、前記ネットワークエンティティが許容可能な最大停止期間情報を含んで送信されることを特徴とする請求項１に記載の加入状態変更方法。
【請求項６】
前記加入状態が変更された少なくとも１つのアイテムのサービス再開のための再開（SubscriptionResume）要請メッセージを前記ネットワークエンティティへ送信する過程と、
前記ネットワークエンティティから前記再開要請メッセージに対する再開応答メッセージを受信する過程と、
少なくとも１つのアイテムの加入状態を変更する過程と、
をさらに含むことを特徴とする請求項１に記載の加入状態変更方法。
【請求項７】
前記再開要請メッセージは、前記停止期間で許容可能な期間が終了した場合、またはユーザにより少なくとも１つのアイテムに対するサービス再開要請が入力された場合のうち、いずれか一の場合に送信されることを特徴とする請求項６に記載の加入状態変更方法。
【請求項８】
前記変更する過程は、前記少なくとも１つのアイテムを受信するためのロングタームキー（Long-Term key）に対する権限を変更する過程を含むことを特徴とする請求項１または６に記載の加入状態変更方法。
【請求項９】
前記変更する過程は、前記ロングタームキーを削除する過程を含むことを特徴とする請求項８に記載の加入状態変更方法。
【請求項１０】
放送システムにおけるネットワークエンティティがサービス加入状態を変更するための方法であって、
端末から前記加入状態の停止期間を表す情報が含まれた停止要請メッセージを受信する過程と、
前記停止要請メッセージに対する停止応答メッセージを前記端末へ送信する過程と、
を含むことを特徴とする加入状態変更方法。
【請求項１１】
前記停止期間は、全てのアイテムのうちの特定のアイテムを一時停止する期間であり、
前記停止要請メッセージは、前記特定のアイテムを識別する識別子を含むことを特徴とする請求項１０に記載の加入状態変更方法。
【請求項１２】
前記停止期間は、全てのアイテムを一時停止する期間であることを特徴とする請求項１０に記載の加入状態変更方法。
【請求項１３】
前記停止期間は、停止開始日及び停止終了日のうち、少なくとも１つを含むことを特徴とする請求項１０に記載の加入状態変更方法。
【請求項１４】
前記停止応答メッセージは、前記端末が要請した停止期間が前記ネットワークエンティティが許容する停止期間を超過する場合、前記ネットワークエンティティが許容可能な最大停止期間情報を含んで送信されることを特徴とする請求項１０に記載の加入状態変更方法。
【請求項１５】
前記端末から前記加入状態が変更された少なくとも１つのアイテムのサービス再開のための再開（SubscriptionResume）要請メッセージを受信する過程と、
前記再開要請メッセージに対する再開応答メッセージを前記端末へ送信する過程と、
をさらに含むことを特徴とする請求項１０に記載の加入状態変更方法。
【請求項１６】
放送システムにおけるサービス加入状態を変更するための端末であって、
前記加入状態の停止期間を表す情報が含まれた停止要請メッセージをネットワークエンティティへ送信する送信機と、
前記ネットワークエンティティから前記停止要請メッセージに対する停止応答メッセージを受信する受信機と、
前記端末が前記加入状態を変更する制御器と、
を含むことを特徴とする端末。
【請求項１７】
前記停止期間は、全てのアイテムのうちの特定のアイテムを一時停止する期間であり、
前記停止要請メッセージは、前記特定のアイテムを識別する識別子を含むことを特徴とする請求項１６に記載の端末。
【請求項１８】
前記停止期間は、全てのアイテムを一時停止する期間であることを特徴とする請求項１６に記載の端末。
【請求項１９】
前記停止期間は、停止開始日及び停止終了日のうち、少なくとも１つを含むことを特徴とする請求項１６に記載の端末。
【請求項２０】
前記停止応答メッセージは、前記端末が要請した停止期間が前記ネットワークエンティティが許容する停止期間を超過する場合、前記ネットワークエンティティが許容可能な最大停止期間情報を含んで送信されることを特徴とする請求項１６に記載の端末。
【請求項２１】
前記送信機は、前記加入状態が変更された少なくとも１つのアイテムのサービス再開のための再開（SubscriptionResume）要請メッセージを前記ネットワークエンティティへ送信することを特徴とする請求項１６に記載の端末。
【請求項２２】
前記受信機は、前記ネットワークエンティティから前記再開要請メッセージに対する再開応答メッセージを受信することを特徴とする請求項２１に記載の端末。
【請求項２３】
前記制御器は、少なくとも１つのアイテムの加入状態を変更することを特徴とする請求項２２に記載の端末。
【請求項２４】
前記再開要請メッセージは、前記停止期間で許容可能な期間が終了した場合、またはユーザにより少なくとも１つのアイテムに対するサービス再開要請が入力された場合のうち、いずれか一場合に送信されることを特徴とする請求項２２に記載の端末。
【請求項２５】
前記制御器は、
前記少なくとも１つのアイテムを受信するためのロングタームキー（Long-Term key）に対する権限を変更することを特徴とする請求項１６または２３に記載の端末。
【請求項２６】
前記制御器は、前記ロングタームキーを削除することを特徴とする請求項２５に記載の端末。
【請求項２７】
放送システムにおけるサービス加入状態を変更するためのネットワークエンティティであって、
端末から前記加入状態の停止期間を表す情報が含まれた停止要請メッセージを受信する受信機と、
前記停止要請メッセージに対する停止応答メッセージを前記端末へ送信する送信機と、
を含むことを特徴とするネットワークエンティティ。
【請求項２８】
前記停止期間は、全てのアイテムのうちの特定のアイテムを一時停止する期間であり、
前記停止要請メッセージは、前記特定のアイテムを識別する識別子を含むことを特徴とする請求項２７に記載のネットワークエンティティ。
【請求項２９】
前記停止期間は、全てのアイテムを一時停止する期間であることを特徴とする請求項２７に記載のネットワークエンティティ。
【請求項３０】
前記停止期間は、停止開始日及び停止終了日のうち、少なくとも１つを含むことを特徴とする請求項２７に記載のネットワークエンティティ。
【請求項３１】
前記停止応答メッセージは、前記端末が要請した停止期間が前記ネットワークエンティティが許容する停止期間を超過する場合、前記ネットワークエンティティが許容可能な最大停止期間情報を含んで送信されることを特徴とする請求項２７に記載のネットワークエンティティ。
【請求項３２】
前記受信機は、前記端末から前記加入状態が変更された少なくとも１つのアイテムのサービス再開のための再開（SubscriptionResume）要請メッセージを受信することを特徴とする請求項２７に記載のネットワークエンティティ。
【請求項３３】
前記送信機は、前記再開要請メッセージに対する再開応答メッセージを前記端末へ送信することを特徴とする請求項３２に記載のネットワークエンティティ。
【請求項３４】
サービス加入状態を変更するための放送システムであって、
前記加入状態の停止期間を表す情報が含まれた停止要請メッセージを送信し、前記停止要請メッセージに対する停止応答メッセージを受信し、前記加入状態を変更する端末と、
前記停止応答メッセージを送信するネットワークエンティティと、
を含むことを特徴とする放送システム。
【手続補正２】
【補正対象書類名】明細書
【補正対象項目名】００１２
【補正方法】変更
【補正の内容】
【００１２】
本発明の一の側面によれば、放送システムにおける端末がサービス加入状態を変更するための方法が提供される。かかる方法は、加入状態の停止期間を表す情報が含まれた停止要請メッセージをネットワークエンティティへ送信する過程と、上記ネットワークエンティティから上記停止要請メッセージに対する停止応答メッセージを受信する過程と、端末が前記加入状態を変更する過程と、を含むことを特徴とする。
【手続補正３】
【補正対象書類名】明細書
【補正対象項目名】００１３
【補正方法】変更
【補正の内容】
【００１３】
また、本発明の他の側面によれば、放送システムにおけるネットワークエンティティがサービス加入状態を変更するための方法が提供される。かかる方法は、端末から加入状態の停止期間を表す情報が含まれた停止要請メッセージを受信する過程と、上記停止要請メッセージに対する停止応答メッセージを上記端末へ送信する過程と、を含む。
また、本発明の他の側面によれば、放送システムにおけるサービス加入状態を変更するための端末が提供される。かかる端末は、上記加入状態の停止期間を表す情報が含まれた停止要請メッセージをネットワークエンティティへ送信する送信機と、上記ネットワークエンティティから上記停止要請メッセージに対する停止応答メッセージを受信する受信機と、上記端末が上記加入状態を変更する制御器と、を含む。
また、本発明の他の側面によれば、放送システムにおけるサービス加入状態を変更するためのネットワークエンティティが提供される。かかるネットワークエンティティは、端末から上記加入状態の停止期間を表す情報が含まれた停止要請メッセージを受信する受信機と、上記停止要請メッセージに対する停止応答メッセージを上記端末へ送信する送信機と、を含む。
【手続補正４】
【補正対象書類名】明細書
【補正対象項目名】００１４
【補正方法】変更
【補正の内容】
【００１４】
また、本発明のさらに他の側面によれば、サービス加入状態を変更するための放送システムが提供される。かかる放送システムは、加入状態の停止期間を表す情報が含まれた停止要請メッセージを送信し、上記停止要請メッセージに対する停止応答メッセージを受信し、上記加入状態を変更する端末と、上記停止応答メッセージを送信するネットワークエンティティと、を含む。
【国際調査報告】
2010539779.tif 000015
2010539779.tif 000016